(57)【要約】【課題】電線の端末をリングスリーブに挿入する場合、挿入作業を容易、かつ迅速にすることができるリングスリーブを提供する。【解決手段】導電性材料で中空筒状に形成されている電線端末室の一端は、電線端末を挿入する為に開放されており、他端は、電線端末を突出させる為に開放されているリングスリーブにおいて、上記筒状の電線端末室の一端の開口部は、ラッパ状に拡開させると共に、上記拡開させた部分の外周の全周には、軟質絶縁キャップの内周面に対する滑動をスムーズにする為の丸味が付されており、上記筒状の電線端末室の他端の開口部もラッパ状に拡開させると共に、上記拡開させた部分の外周の全周にも、軟質絶縁キャップの内周面に対する滑動をスムーズにする為の丸味が付されるようにした。【選択図】    図１
0003150305.tif 000002
【実用新案登録請求の範囲】
【請求項１】
導電性材料で中空筒状に形成されている電線端末室の一端は、電線端末を挿入する為に開放されており、他端は、電線端末を突出させる為に開放されているリングスリーブにおいて、
上記筒状の電線端末室の一端の開口部は、ラッパ状に拡開させると共に、
上記拡開させた部分の外周の全周には、軟質絶縁キャップの内周面に対する滑動をスムーズにする為の丸味が付されており、
上記筒状の電線端末室の他端の開口部もラッパ状に拡開させると共に、
上記拡開させた部分の外周の全周にも、軟質絶縁キャップの内周面に対する滑動をスムーズにする為の丸味が付されていることを特徴とするリングスリーブ。
【考案の詳細な説明】
【技術分野】
【０００１】
本考案は、複数の電線を接続する為のリングスリーブに関し、詳しくは、中空筒状の電線端末室を備え、電線端末室内に複数の電線端末を挿入させて電線端末室の外側から圧迫して複数の電線端末を圧着接続するようにしたリングスリーブに関する。
【背景技術】
【０００２】
従来より複数の電線を接続する為のリングスリーブは、例えば特許文献１に示されるリングスリーブ等を含めて広く知られている。
上記特許文献１に示されるリングスリーブ（結線スリーブとも称されている）は、導電性材料で中空筒状に形成されている電線端末室を備えている。この電線端末室の一端は、複数の電線端末を挿入する為に開放されており、その開口部の周縁はラッパ状に拡開されている。
一方、電線端末室の他端は、複数の電線端末を突出させる為に開放されている。
その他端の開口部は、電線端末室の外周と同径に細く構成してある。
以上のように構成されたリングスリーブは、複数の電線端末を挿入する為の一端側の開口部をラッパ状に拡開させてあるので、複数の電線端末をリングスリーブに挿入する場合、容易に電線端末の差込作業をすることができる。
さらに、リングスリーブにおける他端側の開口部は、電線端末室の外周と同径に細く構成してあるので、上記のように複数の電線端末の結線後、絶縁処理の為にリングスリーブを軟質絶縁キャップ内部に挿入する場合、挿入作業を比較的容易にすることができる。
【先行技術文献】
【特許文献】
【０００３】
【特許文献１】特開平９−２４７８３５号公報
【考案の概要】
【考案が解決しようとする課題】
【０００４】
しかし、この従来のリングスリーブでは、複数の電線の端末を結線する作業に際して、電線端末をリングスリーブに挿入する場合、作業者は、リングスリーブを電線端末に向けて挿入する側、即ちラッパ状の一端側の向きをいちいち確認してから挿入しなければならず、面倒な手間を要した。
さらに、このような面倒な作業を天井裏のような薄暗い場所で作業する場合、確認に手間がかかって作業の能率を下げる問題点があった。
【０００５】
上記問題点を解決する為に、リングスリーブにおける他端側の細径の開口部を、一端側と同様にラッパ状に開拡させることを試みた。
しかし、そのように構成すると、複数の電線端末を結線後、リングスリーブを軟質絶縁キャップ内部に挿入する場合、電線端末の先端側に位置するラッパ状の開口部における角張った外周縁が、絶縁キャップ内に形成された抜止凸部（突起とも称されている）に突き当たり、外周縁が抜止凸部の斜面に食い込んで、リングスリーブを絶縁キャップ内の深部（内方穴とも称されている）まで挿入できない問題が生じる。よって、リングスリーブにおける他端側の細径の開口部を、一端側と同様にラッパ状に開拡させることはできなかった。
【０００６】
本件出願の目的は、電線の端末をリングスリーブに挿入する場合、挿入作業を容易、かつ迅速にすることができるリングスリーブを提供しようとするものである。
他の目的は、複数の電線端末を結線した後、リングスリーブを軟質絶縁キャップ内部に挿入する場合、その挿入作業を容易にすることができるリングスリーブを提供しようとするものである。
他の目的及び利点は図面及びそれに関連した以下の説明により容易に明らかになるであろう。
【課題を解決するための手段】
【０００７】
本発明におけるリングスリーブ１は、導電性材料で中空筒状に形成されている電線端末室２の一端は、電線端末１６を挿入する為に開放されており、他端は、電線端末１６を突出させる為に開放されているリングスリーブにおいて、上記筒状の電線端末室２の一端の開口部５は、ラッパ状に拡開させると共に、上記拡開させた部分の外周７の全周には、軟質絶縁キャップ２０の内周面21ｂに対する滑動をスムーズにする為の丸味が付されており、上記筒状の電線端末室２の他端の開口部９もラッパ状に拡開させると共に、上記拡開させた部分の外周の全周にも、軟質絶縁キャップ２０の内周面21ｂに対する滑動をスムーズにする為の丸味が付されたものである。
【考案の効果】
【０００８】
以上のように本考案は、リングスリーブ１における筒状の電線端末室２の一端の開口部５も、他端の開口部９も、ラッパ状に拡開させて構成したので、複数の電線１５の端末１６を結線する作業に際して、電線の端末１６をリングスリーブ１に挿入する場合、リングスリーブ１の一端１ａ側を電線１５の端末１６に向けて挿入しても、リングスリーブ１の他端１ｂ側を電線１５の端末１６に向けて挿入しても、即ち、リングスリーブ１の両開口部５，９のどちら側から電線の端末１６に向けて挿入しても、複数の電線の端末１６は、ラッパ状の開口部の内壁に案内されてするすると進入する特長がある。
このことは、作業現場が天井裏のような薄暗い場所であっても、作業者は、リングスリーブ１の向きを確認する手間なく、挿入作業を容易に、かつ迅速にすることができる作業上の効果がある。
【０００９】
さらに本考案は、上記筒状の電線端末室２の一端の開口部５は、ラッパ状に拡開させると共に、上記拡開させた部分の外周７の全周には、軟質絶縁キャップ２０の内周面21ｂに対する滑動をスムーズにする為の丸味が付されており、さらに、上記筒状の電線端末室２の他端の開口部９もラッパ状に拡開させると共に、上記拡開させた部分の外周の全周にも、軟質絶縁キャップ２０の内周面21ｂに対する滑動をスムーズにする為の丸味が付されているので、
上記のようにして複数の電線１５を結線した後、リングスリーブ１を軟質絶縁キャップ２０内部に挿入する場合、リングスリーブ１における両端の開口部５，９のどちらが電線１５の先端16ａ側に位置した状態であっても、
上記丸味を付された開口部は、抜止凸部２４の斜面２５に当接しながらスムーズに進入し、抜止凸部２４を押し広げながら軟質絶縁キャップの深部２３へ向けて滑り込む特長がある。しかも、進入過程においてリングスリーブ１は、丸味を付けた開口部の外周に先導されて絶縁キャップ２０の内周面21ｂに対して、スムーズに進入し、リングスリーブ１の軟質絶縁キャップ２０内部への挿入作業を容易にできる効果がある。
【００１０】
さらに、上記のように、上記筒状の電線端末室２の両端の開口部５、９を、ラッパ状に拡開させると共に、上記拡開させた部分の外周の全周には、軟質絶縁キャップ２０の内周面21ｂに対する滑動をスムーズにする為の丸味が付さされるように構成しているので、
軟質絶縁キャップ２０の深部（内包部）２３に挿入されたリングスリーブ１を、検査者が抜出して結線状態を検査する場合でも、絶縁キャップの開口部２２側に位置するリングスリーブ１の開口部は、軟質絶縁キャップの周壁２１内面21ｂに形成された抜止凸部２４を押し広げてスムーズに抜き取ることができ、抜出作業も容易にする作業上の効果もある。
【図面の簡単な説明】
【００１１】
【図１】リングスリーブ１を説明する為の断面図。
【図２】リングスリーブ１を軟質絶縁キャップ２０内部に挿入する作業を説明する為の一部破断図で、開口部が抜止凸部２４の斜面２５に当接した状態を示す図。
【図３】リングスリーブ１が軟質絶縁キャップ２０の深部２３に挿入された状態を説明する為の一部破断図。
【図４】図１のリングスリーブとは、両端の開口部における丸味の構成の点において異なる例を示す断面図。
【考案を実施するための形態】
【００１２】
以下本考案の実施の形態を図面を用いて説明する。図１は、リングスリーブ１を説明する為の断面図で、リングスリーブ１の開口部５を複数の電線の端末１６に向けた状態を示す。
図１乃至図４において、１は複数の電線を接続する為のリングスリーブを示す。リングスリーブ１の全体形状は鼓形にしてある。リングスリーブ１において、２は、周知のように複数の電線端末１６を位置させる為の導電性材料で中空筒状に形成されている電線端末室を示す。
図１に示されるように、上記電線端末室２の一端は、電線端末１６を挿入する為に開放されており、他端は、電線端末１６を突出させる為に開放されている。３は電線端末室２の周壁、３ｂは内周面を示す。
【００１３】
次に、５はリングスリーブ１の一端１ａ側の開口部を示す。図１に示されるように、上記筒状の電線端末室２の一端の開口部５は、ラッパ状に拡開させると共に、図１〜４に示されるように、上記拡開させた部分の外周７の全周には、軟質絶縁キャップ２０の内周面21ｂに対する滑動をスムーズにする為の丸味が付されている。６は複数の電線端末１６の先端部16ａを電線端末室２に向けて誘導する為の案内面で、図示のように電線端末がスムーズに進入できるように緩やかなテーパー状に形成されている。
なお、上記拡開させた部分の外周７全周に付される丸味の形状は、図１〜３に示されるように先端を折り返した形状に形成してもよいが、軟質絶縁キャップ２０の内周面21ｂに対する滑動をスムーズにできるようなものであればよく、図４に示されるように周囲の尖部分を磨いて、丸味を付した状態にしてもよい。
【００１４】
次に、９はリングスリーブ１の他端１ｂ側の開口部を示し、前述の開口部５と同様に構成されている。即ち、図１に示されるように、上記筒状の電線端末室２の他端の開口部９もラッパ状に拡開させると共に、図１〜４に示されるように、上記拡開させた部分の外周１１の全周にも、軟質絶縁キャップ２０の内周面21ｂに対する滑動をスムーズにする為の丸味が付されている。
１０は複数の電線端末１６の先端部16ａを電線端末室２に向けて誘導する為の案内面を示す。
【００１５】
上記構成のリングスリーブ１における両端の開口部５、９をラッパ状に拡開させると共に、上記拡開させた部分の外周７の全周に丸味を付す手段としては、次のようにすればよい。
まず、両端の開口部５、９をラッパ状に拡開させる手段としては、通常行われる加工手段を用いればよく、例えば、中空筒状に形成したリングスリーブの両端の開口部に対して、所定形状の突起物、例えば先端が先細で、後方が開口部５、９の内径より大きい円錐状工具を両側から差し込んで開口部を押し広げるように変形加工するとよい。
次に、ラッパ状に拡開させた後、その外周７全周に丸味を付す手段としては、通常ばり取りの為に行われるのような周知の手段でもって、開口部の外周を削って丸味を付すようにすればよい。
【００１６】
次に、１５は周知の電線（絶縁被覆電線）、１６は電線端末（被覆を除去し裸の電線）、16ａは先端部を示す。
２０は周知の絶縁処理の為の軟質絶縁キャップを示す。軟質絶縁キャップ２０において、２１は周壁、21ｂはその内周面、２２はリングスリーブ１を挿入させる為の開口部、２３はリングスリーブ１を存置させる為の内包部（深部）を示す。
２４は内包部２３に挿入したリングスリーブの不用意な抜け脱を防止する為の抜止凸部で、周壁２１の内周面21ｂから突出させて形成されている。２５は図示のように、リングスリーブ１が内包部２３に向けて容易に進入できるように緩やかな傾斜に形成された斜面。２６は抜止凸部２４における止段を示す。抜止凸部２４は、周知のように、常態では、図３に示されるように、内包部２３に挿入されたリングスリーブ１の開口部５に対して止段２６を当接して不用意な抜け脱を防止する。さらに、リングスリーブ１を軟質絶縁キャップ２０から抜き取る為に、矢印３０方向に強い力で引いた場合は、抜止凸部２４は弾力的に変形して、リングスリーブ１の入口２２の方向への移動を許容するようにしてある。
【００１７】
上記構成のものを用いて複数の電線１５を結線する作業に際して、電線の端末１６をリングスリーブ１に挿入する作業について説明する。
リングスリーブ１の一端、例えば図１に示されるように、一端１ａ側の開口部５を複数の電線１５の端末１６に向けて挿入する。すると、複数の電線の端末１６は、ラッパ状の開口部５の内壁（案内面）６に案内されて、細径の電線端末室２へ向けてするすると進入するので、容易に挿入作業を行うことができる。引き続き、通常行われるように、電線端末１６の先端部16ａをリングスリーブ１の他端１ｂ側突出させる。
この挿入作業において、一端１ａ側の開口部５を電線端末１６に向けて挿入させる作業を図示して説明したが、リングスリーブ１の他端１ｂ側の開口部９を電線端末１６に向けて挿入してもよい。前述したように、開口部９もラッパ状に拡開させて構成してあるので、この場合も同様に容易に挿入作業を行うことができる。
このように、リングスリーブ１は、両端の開口部５、９のどちら側から電線の端末１６に向けて挿入しても、複数の電線の端末１６を容易に挿入することができるので、作業者は、予めリングスリーブ１の向きを確認する手間なく、挿入作業を容易に、かつ迅速にすることができる作業上の効果がある。
なお、図２、３に示される１３は、周知のように、電線端末室２内に複数の電線端末１６を挿入させた後、電線端末室２を外側から圧迫して複数の電線端末を圧着接続させた時に形成された圧着痕を示す。
【００１８】
次に、上記のように複数の電線１５を結線した後、リングスリーブ１を軟質絶縁キャップ２０内部に挿入する作業について説明する。
通常行われるように、リングスリーブ１を軟質絶縁キャップ２０の開口部２２から深部２３に向けて（図２の矢印２９方向へ）挿入させる。その挿入過程で、図２に示されるように、上記開口部５が抜止凸部２４の斜面２５に当ると、開口部５における丸味を付された外周７は、ソフトに抜止凸部２４に当接しながらスムーズに進入し、抜止凸部２４を押し広げながら、軟質絶縁キャップの深部２３へ向けて滑り込む。しかも、進入過程においてリングスリーブ１は、開口部５の丸味を付けた外周７に先導されて絶縁キャップ２０の内周面21ｂに対して、スムーズに進入し、リングスリーブ１の軟質絶縁キャップ２０内部への挿入作業を容易にできる効果がある。
このことは、前述した電線端末１６をリングスリーブ１に挿入する作業において、リングスリーブ１における開口部９を電線端末１６に向けて挿入し、開口部９が電線１５の先端側16ａに位置した場合も同様に、リングスリーブ１の軟質絶縁キャップ２０内部への挿入作業を容易にできる。
【００１９】
さらに、軟質絶縁キャップ２０の深部（内包部）２３に挿入されたリングスリーブ１を、検査者が抜出して結線状態を検査する場合にも、リングスリーブ１における両端の開口部５，９のどちらがリングスリーブ１の開口部２２側に位置した状態であっても、
検査者がリングスリーブ１を図３における矢印３０方向に引くと、絶縁キャップの開口部２２側に位置するリングスリーブ１の開口部は、軟質絶縁キャップの周壁２１内面21ｂに形成された抜止凸部２４を押し広げて、リングスリーブ１を軟質絶縁キャップ２０内からスムーズに抜き取ることができ、抜出作業も容易にする作業上の効果もある。
【符号の説明】
【００２０】
１・・・リングスリーブ、２・・・電線端末室、３・・・周壁、３ｂ・・・内周面、５・・・開口部、６・・・案内面、７・・・外周、９・・・開口部、１０・・・案内面、１１・・・外周、１３・・・圧着痕、 １５・・・電線、１６・・・電線端末、１６ａ・・・先端部、２０・・・軟質絶縁キャップ、２１・・・周壁、２１ｇ・・・内周面、２２・・・開口部（入口）、２３・・・内包部（深部）、２４・・・抜止凸部、２５・・・斜面、２６・・・止段
【図１】
0003150305.tif 000003
【図２】
0003150305.tif 000004
【図３】
0003150305.tif 000005
【図４】
0003150305.tif 000006